(57)【要約】      （修正有）【課題】有害物質を含まず、暖かみや癒やし効果のある天然素材を利用した床材や天井材としての内装建材を提供する。【解決手段】内装建材は、天然無垢の細長単板１を並列に複数枚結合した矩形の表面材と、表面材の裏面に接合された縦枠３と横枠４とにより形成された矩形枠５と、矩形枠５を複数の矩形凹所６に区画する中間枠７と、矩形凹所６に嵌合された籾殻炭入り樹皮繊維材料のくん炭ボード８とからなり、矩形枠の一方の縦枠３には雄サネ９、他方の縦枠３には雌サネ１０を形成する。内装建材の雄サネ、雌サネを組み合わせてフローリング床を固定する。表面材の裏面にくん炭ボードが嵌合充填されており、断熱性、脱臭性、調湿性、難燃性を有するフローリング床が形成される。【選択図】図２
0003196874.tif 000002
【実用新案登録請求の範囲】
【請求項１】
天然無垢の細長単板を並列に複数枚結合した矩形の表面材と、該表面材の裏面に接合された縦枠と横枠とにより形成された矩形枠と、該矩形枠を複数の矩形凹所に区画する中間枠と、前記矩形凹所に嵌合挿入された籾殻炭入り樹皮繊維材料のくん炭ボートとからなり、前記矩形枠の一方の縦枠には雄サネ、他方の縦枠には雌サネを形成したことを特徴とする内装建材。
【請求項２】
前記くん炭ボードは、楮、桑、杉などの木材の樹皮を繊維状に解した、長さが不均一の樹皮繊維材料と、黄葵の根又は糊空木の樹皮から抽出した液体を主体にした繊維分散液と、籾殻を蒸し焼きにした籾殻炭とから形成され、前記繊維分散液を水に混ぜた混合水溶液に、前記樹皮繊維材料と籾殻炭を入れて良くかき混ぜ繊維隙間空間に籾殻炭が入り込むように良く練り、この混錬物をボード成型の型枠に入れて脱水乾燥させて、樹皮線材料の繊維同士が絡み合い水素結合によりくっ付き合い固めたことを特徴とする請求項１記載の内装建材。
【考案の詳細な説明】
【技術分野】
【０００１】
本考案は、天然素材を利用した床材や天井材としての内装建材に関するものである。
【背景技術】
【０００２】
従来、部屋の暖房・冷房を効率的に確保するために床材や天井材の裏面に断熱材が貼り付けられた内装建材が利用されている。
しかし、その多くはシックハウスの原因となる有害物質を使用しており、住宅環境に優しい空間を形成することができなかった。
【０００３】
また、床断熱下地パネルに含まれる真空断熱材を傷つけないように、仕上げ床材の床下地へ釘打ちの位置決めが確実にできるようにした床断熱下地パネルの取付構造が知られている（特許文献１を参照）。
この公知技術は、真空断熱材を内装し、両端に連結部を有した断熱パネルと、非真空断熱材を内装し、両端に前記断熱パネルの連結部と連結される連結部を有した中間断熱パネルとを備えた床断熱下地パネルを、連結部同士を連結させて床下地に設置する床断熱下地パネルの取付構造である。
【０００４】
この床断熱下地パネルは、前記断熱パネルの凹所に真空断熱材と発泡系断熱材を収容し、前記中間断熱パネルの凹所に発泡系断熱材などの非真空断熱材を充填しているものである。
しかし、前記断熱パネル及び中間断熱パネルは、金属板の表裏を樹脂層で被覆した板材を折曲形成したものであるため、天然素材のような暖かみや癒（いや）し効果に欠けるなどの欠点があった。
【先行技術文献】
【特許文献】
【０００５】
【特許文献１】特開２０１４−９５１９２号公報
【考案の概要】
【考案が解決しようとする課題】
【０００６】
本考案は、天然素材を利用した床材や天井材としての内装建材を提供することを目的とする。
【課題を解決するための手段】
【０００７】
本考案の内装建材は、天然無垢の細長単板を並列に複数枚結合した矩形の表面材と、該表面材の裏面に接合された縦枠と横枠とにより形成された矩形枠と、該矩形枠を複数の矩形凹所に区画する中間枠と、前記矩形凹所に嵌合挿入された籾殻炭入り樹皮繊維材料のくん炭ボートとからなり、前記矩形枠の一方の縦枠には雄サネ、他方の縦枠には雌サネを形成したものである。
前記くん炭ボードは、楮（こうぞ）、桑、杉などの木材の樹皮を繊維状に解（ほぐ）した、長さが不均一の樹皮繊維材料と、黄葵（とろろあおい）の根又は糊空木（のりうつぎ）の樹皮から抽出した液体を主体にした繊維分散液と、籾殻を蒸し焼きにした籾殻炭とから形成され、前記繊維分散液を水に混ぜた混合水溶液に、前記樹皮繊維材料と籾殻炭を入れて良くかき混ぜ繊維隙間空間に籾殻炭が入り込むように良く練り、この混錬物をボード成型の型枠に入れて脱水乾燥させて、樹皮線材料の繊維同士が絡み合い水素結合によりくっ付き合い固めたものである。
【考案の効果】
【０００８】
本考案の内装建材は、天然無垢の細長単板を並列に複数枚結合した矩形の表面材と、該表面材の裏面に接合された縦枠と横枠とにより形成された矩形枠と、該矩形枠を複数の矩形凹所に区画する中間枠と、前記矩形凹所に嵌合された籾殻炭入り樹皮繊維材料のくん炭ボートとからなり、前記矩形枠の一方の縦枠には雄サネ、他方の縦枠には雌サネを形成したため、組み立てて床材、天井材、壁材などに利用できる。
本考案の内装建材は、表面材の裏面にくん炭ボードが嵌合充填されており、断熱性、脱臭性、調湿性、難燃性を有する床材、天井材、壁材などが形成できる。
本考案の内装建材は、全てが天然素材から形成されるため、木目模様の暖かみや癒（いや）し効果を備えた住宅環境に優しい空間を形成することが可能となる。
【図面の簡単な説明】
【０００９】
【図１】本考案の内装建材の（ａ）斜視図、（ｂ）Ａ−Ａ矢視断面図である。
【図２】本考案の内装建材の（ａ）底面図、（ｂ）Ｂ−Ｂ矢視断面図である。
【図３】本考案の内装建材の（ａ）平面図、（ｂ）Ｃ−Ｃ矢視断面図、（ｃ）Ｄ−Ｄ矢視断面図である。
【図４】本考案の内装建材の底面図である。
【図５】本考案の内装建材の組立状態を示す斜視図である。
【考案を実施するための形態】
【００１０】
本考案の内装建材の一実施例を添付図面に基づいて、以下に説明する。
図１（ａ）の斜視図に示すように、本考案の内装建材は、天然無垢の細長単板１を並列に複数枚結合した矩形の表面材２と、図２（ａ）の底面図に示すように、前記表面材２の裏面に接合された縦枠３と横枠４とにより形成された矩形枠５と、該矩形枠５を複数の矩形凹所６に区画する中間枠７と、前記矩形凹所６に嵌合された籾殻炭入り樹皮繊維材料のくん炭ボート８とからなり、前記矩形枠５の一方の縦枠３には雄サネ９、他方の縦枠３には雌サネ１０を形成したものである。
【００１１】
前記細長単板１は、天然無垢のウォールナット、ブラックチェリー、メイプル、パイン材、チーク、オーク、タモ、パーチ材、ローズウッド、桜材などを使用可能であるが、本実施例では天然無垢の杉材を使用している。
前記表面材２は、図１（ｂ）のＡ−Ａ矢視断面図に示すように、前記細長単板１の側面に長手方向に沿って凹溝１１を形成し、該凹溝１１に連結片１２を嵌合し、前記細長単板１を並列に複数枚結合して表面材２を形成する。本実施例では３枚の細長単板１を連結して表面材２を形成している。
前記矩形枠５は、図２（ａ）に示すように、前記表面材２の裏面に縦枠３と横枠４とにより矩形に形成され、図示しない釘やビスなどの固定具で前記表面材２に固定する。また、前記縦枠３には、この内装建材を組み立てするために図右側の縦枠３に雄サネ９、図左側の縦枠３に雌サネ１０を形成する。
【００１２】
前記矩形凹所６は、図２（ｂ）のＢ−Ｂ矢視断面図に示すように、断熱性、脱臭性、調湿性、難燃性を有する籾殻炭入り樹皮繊維材料からなるくん炭ボード８を嵌合挿入するためのものであり、中間枠７により区画する空間は長方形より正方形が望ましい。
前記くん炭ボード８は、楮（こうぞ）、桑、杉などの木材の樹皮を繊維状に解（ほぐ）した、長さが不均一の樹皮繊維材料と、黄葵（とろろあおい）の根又は糊空木（のりうつぎ）の樹皮から抽出した液体を主体にした繊維分散液と、籾殻を蒸し焼きにした籾殻炭とから形成され、前記繊維分散液を水に混ぜた混合水溶液に、前記樹皮繊維材料と籾殻炭を入れて良くかき混ぜ繊維隙間空間に籾殻炭が入り込むように良く練り、この混錬物をボード成型の型枠に入れて脱水乾燥させて、樹皮線材料の繊維同士が絡み合い水素結合によりくっ付き合い固めたものである。このくん炭ボード８は、前述したように断熱性、脱臭性、調湿性、難燃性を有する。
【００１３】
本考案の内装建材は、組み立てて、床材、天井材、壁材などに利用されるが、床材としてフローリングに使用した実施例を図面に基づいて以下に説明する。
図３に示す、細長単板１は長さ９１０ｍｍ×幅１００ｍｍ×厚さ１５ｍｍ、表面材２は長さ９１０ｍｍ×幅３００ｍｍ×厚さ１５ｍｍ、縦枠３は長さ９１０ｍｍ×幅５０ｍｍ×厚さ２５ｍｍ、横枠４は長さ２１５ｍｍ×幅５０ｍｍ×厚さ２５ｍｍ、中間枠７は長さ２１５ｍｍ×幅５０ｍｍ×厚さ２５ｍｍ、くん炭ボード８は長さ２２５ｍｍ×幅２１５ｍｍ×厚さ２５ｍｍである。
図３（ａ）の平面図に示すように、天然無垢の細長単板１を並列に複数枚結合した矩形の表面材２と、図４の底面図に示すように、前記表面材２の裏面に接合された縦枠３と横枠４とにより形成された矩形枠５と、該矩形枠５を複数の矩形凹所６に区画する中間枠７と、図３（ｂ）のＣ−Ｃ矢視断面図に示すように、前記矩形凹所６に嵌合された籾殻炭入り樹皮繊維材料のくん炭ボート８とからなり、図３（ｃ）のＤ−Ｄ矢視断面図に示すように、前記矩形枠５の一方の縦枠４には雄サネ９、他方の縦枠４には雌サネ１０を形成したものである。
【００１４】
なお、図３（ｃ）に示すように、前記細長単板１の側面に長手方向に沿って凹溝１１を形成し、該凹溝１１に連結片１２を嵌合し、前記細長単板１を並列に複数枚結合して表面材２を形成する。
図５の斜視図に示すように、基礎土台に設けた大引き１３及び大引き１３に架け渡した根太１４に下地板（図示せず）を施し、本考案の内装建材（表面材２）の雄サネ９、雌サネ１０を組み合わせてフローリング床を固定する。
このように組み立てすることにより、表面材２の裏面にくん炭ボード８が嵌合充填されており、断熱性、脱臭性、調湿性、難燃性を有するフローリング床が形成される。
本考案の内装建材をフローリング床として利用する実施例を示したが、これ以外に天井や壁に、この内装建材を利用することができる。
【符号の説明】
【００１５】
１  細長単板
２  表面材
３  縦枠
４  横枠
５  矩形枠
６  矩形凹所
７  中間枠
８  くん炭ボード
９  雄サネ
１０  雌サネ
１１  凹溝
１２  連結片
１３  大引き
１４  根太
【図１】
0003196874.tif 000003
【図２】
0003196874.tif 000004
【図３】
0003196874.tif 000005
【図４】
0003196874.tif 000006
【図５】
0003196874.tif 000007